【手続補正書】
【提出日】平成18年8月15日(2006.8.15)
【手続補正１】
【補正対象書類名】特許請求の範囲
【補正対象項目名】全文
【補正方法】変更
【補正の内容】
【特許請求の範囲】
【請求項１】
データビットのペイロードを送信する方法において、
データビットのペイロードを符号化し、データビットおよび冗長度シンボルを複製するシステマティックシンボルを含むデータパケットを発生することと、
前記システマティックシンボルおよび前記冗長度シンボルの第１の部分を含む第１のサブパケットをリモートロケーションに送信することと、
前記リモートロケーションからのＮＡＫメッセージを受信することに応答して、前記第１のサブパケットの送信により前記リモートロケーションにおいて受信された、計算された予測された合計エネルギーの関数として選択された送信フォーマットに従って、前記冗長度シンボルの第２の部分を含む第２のサブパケットを前記リモートロケーションに送信することと、
を備えた方法。
【請求項２】
前記第１のサブパケットの送信により前記リモートロケーションで受信された前記予測された合計エネルギーは、前記リモートロケーションにおいて受信されたことが予測されたシンボルの数の関数として計算される、請求項１の方法。
【請求項３】
前記送信フォーマットは、前記第１のサブパケットの送信および前記第１のサブパケットおよび前記第２のサブパケットにおけるシンボルの合計数により前記リモートロケーションにおいて受信された前記計算された予測された合計エネルギーの関数として選択される、請求項２の方法。
【請求項４】
前記送信フォーマットは、前記第１および第２のサブパケットを一緒にデコードすることに関連する前記リモートロケーションにおける予測された損失の関数としてさらに選択される、請求項１の方法。
【請求項５】
前記リモートロケーションにおいて受信された前記予測された合計エネルギーは、前記第１のサブパケットをデマッピングすることに関連する前記リモートロケーションにおける予測された損失の関数として調節される、請求項１の方法。
【請求項６】
前記送信フォーマットは前記結合された第１および第２のサブパケットのコーディングレートの関数として計算された目標送信エネルギーレベルに基づいて選択される、請求項１の方法。
【請求項７】
前記第１のサブパケットは、第１のコーディングレートで送信され、前記第２のサブパケットは、前記第１のコーディングレートより高い第２のコーディングレートで送信される、請求項１の方法。
【請求項８】
前記送信フォーマットは、無線チャネル品質に関連する前記リモートロケーションからのフィードバックの関数としてさらに選択される、請求項１の方法。
【請求項９】
前記送信フォーマットは、ポテンシャル送信フォーマットに対応する目標送信エネルギーレベル、および前記第１の信号をデマッピングすることに関連する前記リモートロケーションにおける予測された損失により調節された前記第１のサブパケットの送信により前記リモートロケーションにおいて受信された前記計算された予測された合計エネルギーの関数として選択される、請求項１の方法。
【請求項１０】
前記送信フォーマットは、
前記ポテンシャル送信フォーマットのための前記目標送信エネルギーレベルから、前記第１のサブパケットの送信により前記リモートロケーションにおいて受信された前記調節された計算された予測された合計エネルギーを減算することと、
前記ポテンシャル送信フォーマットのための再送信エネルギーを計算することと、
前記計算された再送信エネルギーが閾値レベルを超えるなら、前記ポテンシャル送信フォーマットを考慮から削除すること、
により選択される、請求項９の方法。
【請求項１１】
前記フィードバックは、前記リモートロケーションにおけるエラーレートを備える、請求項８の方法。
【請求項１２】
複数のシステマティックシンボルおよび冗長シンボルとしてデータパケットにおいて符号化されたデータビットのペイロードを送信するための通信装置において、
前記システマティックシンボルおよび前記冗長シンボルの第１の部分を含む第１のサブパケットおよびその後に続く、前記冗長シンボルの第２の部分を含む第２のサブパケットをリモートロケーションに送信するように構成された送信機と、
前記第１のサブパケットの送信により前記リモートロケーションにおいて受信された予測されたエネルギーの計算されたレベルの関数として前記第２のサブパケットのための送信フォーマットを選択するように構成されたプロセッサーとを備え、
前記プロセッサーは、前記第１のサブパケットに含まれる前記シンボルの数の関数として前記第１のサブパケットの送信により前記リモートロケーションにおいて受信された予測された前記エネルギーのレベルを計算するようにさらに構成され、
前記プロセッサーは、前記第１および第２のサブパケットに含まれるシンボルの前記合計数の関数として目標送信エネルギーレベルを計算するように構成される通信装置。
【請求項１３】
前記プロセッサーは、前記第１および第２のサブパケットを一緒にデコードすることに関連する前記リモートロケーションにおける予測された損失の関数として前記目標送信エネルギーを調節するようにさらに構成される、請求項１２の通信装置。
【請求項１４】
前記プロセッサーは、前記結合された第１および第２のサブパケットのコーディングレートの関数として前記目標送信エネルギーレベルを計算するようにさらに構成される、請求項１２の通信装置。
【請求項１５】
前記第１のサブパケットを第１のコーディングレートで符号化し、前記第２のサブパケットを前記第１のコーディングレートよりも高い第２のコーディングレートで符号化するように構成されたエンコーダーをさらに備えた、請求項１２の通信装置。
【請求項１６】
前記プロセッサーは、無線チャネル品質に関連する前記リモートロケーションからのフィードバックの関数として前記第１のサブパケットの送信により前記リモートロケーションにおいて受信した前記予測されたエネルギーのレベルを計算するようにさらに構成される、請求項１２の通信装置。
【請求項１７】
前記フィードバックは、前記リモートロケーションにおけるエラーレートを備える、請求項１６の通信装置。
【請求項１８】
前記プロセッサーは、前記目標送信エネルギーレベルおよび前記第１のサブパケットをデマッピングすることに関連する前記リモートロケーションにおける予測された損失により調節される前記第１のサブパケットの送信により前記リモートロケーションにおいて受信された予測されたエネルギーの前記計算されたレベルの関数として前記送信フォーマットを選択するようにさらに構成される、請求項１２の通信装置。
【請求項１９】
前記プロセッサーは、前記目標送信エネルギーレベルから、前記第１のサブパケットの送信により前記リモートロケーションにおいて受信された予測されたエネルギーの前記調節された計算されたレベルを減算することにより再送信エネルギーレベルを計算するようにさらに構成される、請求項１８の通信装置。
【請求項２０】
複数のシステマティックシンボルおよび冗長シンボルとしてデータパケット内で符号化されたデータビットのペイロードを送信するための通信装置において、
前記システマティックシンボルおよび前記冗長シンボルの第１の部分を含む第１のサブパケットおよびその後に続く前記冗長シンボルの第２の部分を含む第２のサブパケットをリモートロケーションに送信するように構成された送信機と、
前記第１のサブパケットの送信により前記リモートロケーションにおいて受信された予測されたエネルギーの計算されたレベルの関数として前記第２のサブパケットのための送信フォーマットを選択するように構成されたプロセッサーとを備え、
前記プロセッサーは、前記第１のサブパケットをデマッピングすることに関連する前記リモートロケーションにおいける予測された損失の関数として前記第１のサブパケットの送信による前記リモートロケーションにおける予測されたエネルギーレベルの前記計算されたレベルを調節するようにさらに構成される通信装置。
【請求項２１】
複数のシステマティックシンボルと冗長度シンボルとしてデータパケット内で符号化されたデータビットのペイロードを送信するための通信装置において、
前記システマティックシンボルと前記冗長度シンボルの第１の部分を含む第１のサブパケットおよびその後に続く前記冗長度シンボルの第２の部分を含む第２のサブパケットを遠隔局に送信する手段と、
前記リモートロケーションにおいて受信された予測されたエネルギーの計算されたレベルの関数として目標送信エネルギーレベルを決定するための決定手段と、
前記目標送信エネルギーレベルの関数として前記第２のサブパケットのための送信フォーマットを選択する手段と、を備え、
前記決定手段による前記目標送信エネルギーレベルの決定は、さらに前記第１および第２のサブパケットの特性の関数であり、
前記決定手段による前記目標送信エネルギーレベルの決定は、さらに、前記第１および第２のサブパケット内に含まれるシンボルの合計数の関数である、通信装置。
【請求項２２】
前記第１のサブパケットを第１のコーディングレートで符号化し、前記第２のサブパケットを前記第１のコーディングレートより高い第２のコーディングレートで符号化する手段をさらに備えた、請求項２１の通信装置。
【請求項２３】
複数のシステマティックシンボルと冗長度シンボルとしてデータパケット内で符号化されたデータビットのペイロードを送信するための通信装置において、
前記システマティックシンボルおよび前記冗長度シンボルの第１の部分を含む第１のサブパケットおよびそれに続く前記冗長度シンボルの第２の部分を含む第２のサブパケットをリモートロケーションに送信する手段と、
前記リモートロケーションにおいて受信された予測されたエネルギーレベルの関数として目標送信エネルギーレベルを決定するための決定手段と、
前記目標送信エネルギーレベルの関数として前記第２のサブパケットのための送信フォーマットを選択する手段と、を備え、
前記決定手段による前記目標送信エネルギーレベルの決定はさらに結合された第１および第２のサブパケットのコーディングレートの関数である通信装置。
【手続補正２】
【補正対象書類名】明細書
【補正対象項目名】発明の名称
【補正方法】変更
【補正の内容】
【発明の名称】通信環境におけるデブースティング